(57)【要約】【課題】光ディスクの状態に関わらず、レーザ光の最適な記録パワー（またはそれに近い記録パワー）を求めることができ、これにより光ディスクに対するデータの記録品質を向上させることができる光ディスク装置を提供する。【解決手段】光ディスクの偏心量、偏重心量および面ぶれ量のうちの少なくとも１つを調査し、その調査結果が許容値を超えている場合は、ＯＰＣを複数回（例えば、３回）行って、光学ヘッドから発せられるレーザ光の記録パワーを決定する。この場合、例えば、前記複数回行ったＯＰＣで求めた各記録パワーの平均値を前記記録パワーとする。一方、前記調査結果が許容値を超えていない場合は、ＯＰＣを１回行い、そのＯＰＣで求めた記録パワーを前記記録パワーとする。【選択図】図２
2004046926.tif 000002
【特許請求の範囲】
【請求項１】
光ディスクを装着して回転させる回転駆動機構と、光ディスクにレーザ光を照射して情報を記録し得る光学ヘッドとを有し、前記光学ヘッドを介して前記光ディスクに対し記録または記録・再生する光ディスク装置であって、
前記光ディスクの偏心量、偏重心量および面ぶれ量のうちの少なくとも１つを調査し、この調査結果が許容値を超えている場合は、前記光学ヘッドから発せられるレーザ光の記録パワーを決定する処理において、前記光ディスクに対して試し書きを行い、この試し書きの結果に基づいて前記記録パワーを求めるＯＰＣを複数回行って、該複数回行ったＯＰＣのそれぞれの結果に基づいて前記記録パワーを決定するよう構成されていることを特徴とする光ディスク装置。
【請求項２】
前記調査結果が許容値を超えていない場合は、前記ＯＰＣを１回行い、該ＯＰＣで求めた記録パワーを前記記録パワーとするよう構成されている請求項１に記載の光ディスク装置。
【請求項３】
光ディスクを装着して回転させる回転駆動機構と、光ディスクにレーザ光を照射して情報を記録し得る光学ヘッドとを有し、前記光学ヘッドを介して前記光ディスクに対し記録または記録・再生する光ディスク装置であって、
前記光ディスクの偏心量、偏重心量および面ぶれ量のうちの少なくとも１つを調査し、調査したもののうちの少なくとも１つの調査結果が、その調査対象における許容値を超えている場合は、前記光学ヘッドから発せられるレーザ光の記録パワーを決定する処理において、前記光ディスクに対して試し書きを行い、この試し書きの結果に基づいて前記記録パワーを求めるＯＰＣを複数回行って、該複数回行ったＯＰＣのそれぞれの結果に基づいて前記記録パワーを決定するよう構成されていることを特徴とする光ディスク装置。
【請求項４】
前記調査したもののすべての調査結果が、その調査対象における許容値を超えていない場合は、前記ＯＰＣを１回行い、該ＯＰＣで求めた記録パワーを前記記録パワーとするよう構成されている請求項３に記載の光ディスク装置。
【請求項５】
前記調査は、前記光ディスクが装着された際に行われるよう構成されている請求項１ないし４のいずれかに記載の光ディスク装置。
【請求項６】
前記調査は、前記記録パワーを決定する処理の度に、該処理に先立って行われるよう構成されている請求項１ないし４のいずれかに記載の光ディスク装置。
【請求項７】
前記調査結果が許容値を超えている場合において、前記複数回行ったＯＰＣで求めた各記録パワーの平均値を前記記録パワーとするよう構成されている請求項１ないし６のいずれかに記載の光ディスク装置。
【請求項８】
前記光ディスクの偏心量の調査は、前記光学ヘッドの位置を固定し、フォーカス制御を行って、前記光学ヘッドの対物レンズの光軸方向の位置を調整しつつ、前記光ディスクを回転させたときに、前記光学ヘッドを横切る前記光ディスクのトラックの本数を計測することによって行われるよう構成されている請求項１ないし７のいずれかに記載の光ディスク装置。
【発明の詳細な説明】
【０００１】
【発明の属する技術分野】
本発明は、光ディスク装置に関するものである。
【０００２】
【従来の技術】
例えば、ＣＤ−ＲＯＭ等の光ディスクを再生したり、ＣＤ−Ｒ、ＣＤ−ＲＷ等の光ディスクを記録・再生する光ディスク装置が知られている。
【０００３】
この光ディスク装置は、光ディスクを装着して回転させる回転駆動機構と、前記装着された光ディスクに対し、その径方向に移動可能に設けられ、光ディスクにレーザ光を照射してデータを記録・再生し得る光学ヘッド（光ピックアップ）と、この光学ヘッドを径方向に移動させるスレッドモータを備えた光学ヘッド移動機構とを有している。
【０００４】
光学ヘッドは、レーザダイオードおよび分割フォトダイオードを備えた光学ヘッド本体（光ピックアップベース）と、この光学ヘッド本体に光ディスクの径方向および光軸方向（回転軸方向）のそれぞれに変位（移動）し得るようにサスペンジョンバネで支持されている対物レンズ（集光レンズ）と、対物レンズを光軸方向に変位させるフォーカスアクチュエータと、対物レンズを径方向に変位させるトラッキングアクチュエータとで構成されている。
【０００５】
一方、ＣＤ−Ｒ、ＣＤ−ＲＷ等の記録可能な光ディスクには、最内周の記録領域のリードイン領域よりもさらに内周側に向かって、ＰＭＡ（Ｐｒｏｇｒａｍ　Ｍｅｍｏｒｙ　Ａｒｅａ　）およびＰＣＡ（Ｐｏｗｅｒ　Ｃａｌｉｂｒａｔｉｏｎ　Ａｒｅａ）の領域がこの順に設けられている。このＰＭＡは、トラックの開始および終了時間等が記録される領域であり、ＰＣＡは、レーザ光の書き込み出力（記録パワー）を求め、決定するＯＰＣ（Ｏｐｔｉｍｕｍ　Ｐｏｗｅｒ　Ｃｏｎｔｒｏｌ　）において、光ディスクへのデータ（信号）の書き込み（記録）を行う前の試し書きを行うための領域である。
【０００６】
光ディスク装置では、光ディスクが装着され、光ディスクへのデータの書き込みが指示されと、前述のＯＰＣが１回だけ行われ、レーザ光の記録パワーが決定される。すなわち、光ディスクに対して実際の記録が行われる前にＰＣＡに対して試し書きが行われ、レーザ光の記録パワーが決定される。
【０００７】
その後、光学ヘッドを目的トラック（目的アドレス）に移動し、この目的トラックにおいて、フォーカス制御やトラッキング制御等を行いつつ、決定されたレーザ光の記録パワーで光ディスクに対して実際のデータの記録（書き込み）が行われる。
【０００８】
しかしながら、光ディスクが偏心している場合、ＯＰＣの際に記録、再生される信号（信号の波形）に、光ディスクの回転周期と同周期の歪みが生じ、これにより、ＯＰＣにおいて算出されるレーザ光の記録パワーの値が最適値から大幅にずれてしまうことがある。
【０００９】
この場合、光ディスクに対して実際に記録を行う際に、レーザ光の記録パワーが最適値からずれた状態でデータが記録されることになり、これにより、データの記録特性が劣化し、光ディスクに対するデータの記録品質が低下するという問題があった。
【００１０】
また、前記光ディスクの偏心に限らず、例えばラベル等の貼り付けによって光ディスクが偏重心している場合や、光ディスクを回転させたときに、その記録面が上下方向に変動する、いわゆる面ぶれのある光ディスクにおいても前記と同様の問題が発生していた。
【００１１】
【発明が解決しようとする課題】
本発明の目的は、光ディスクの状態に関わらず、レーザ光の最適な記録パワー（またはそれに近い記録パワー）を求めることができ、これにより光ディスクに対するデータの記録品質を向上させることができる光ディスク装置を提供することにある。
【００１２】
【課題を解決するための手段】
このような目的は、下記（１）〜（８）の本発明により達成される。
【００１３】
（１）　光ディスクを装着して回転させる回転駆動機構と、光ディスクにレーザ光を照射して情報を記録し得る光学ヘッドとを有し、前記光学ヘッドを介して前記光ディスクに対し記録または記録・再生する光ディスク装置であって、
前記光ディスクの偏心量、偏重心量および面ぶれ量のうちの少なくとも１つを調査し、この調査結果が許容値を超えている場合は、前記光学ヘッドから発せられるレーザ光の記録パワーを決定する処理において、前記光ディスクに対して試し書きを行い、この試し書きの結果に基づいて前記記録パワーを求めるＯＰＣを複数回行って、該複数回行ったＯＰＣのそれぞれの結果に基づいて前記記録パワーを決定するよう構成されていることを特徴とする光ディスク装置。
【００１４】
（２）　前記調査結果が許容値を超えていない場合は、前記ＯＰＣを１回行い、該ＯＰＣで求めた記録パワーを前記記録パワーとするよう構成されている上記（１）に記載の光ディスク装置。
【００１５】
（３）　光ディスクを装着して回転させる回転駆動機構と、光ディスクにレーザ光を照射して情報を記録し得る光学ヘッドとを有し、前記光学ヘッドを介して前記光ディスクに対し記録または記録・再生する光ディスク装置であって、
前記光ディスクの偏心量、偏重心量および面ぶれ量のうちの少なくとも１つを調査し、調査したもののうちの少なくとも１つの調査結果が、その調査対象における許容値を超えている場合は、前記光学ヘッドから発せられるレーザ光の記録パワーを決定する処理において、前記光ディスクに対して試し書きを行い、この試し書きの結果に基づいて前記記録パワーを求めるＯＰＣを複数回行って、該複数回行ったＯＰＣのそれぞれの結果に基づいて前記記録パワーを決定するよう構成されていることを特徴とする光ディスク装置。
【００１６】
（４）　前記調査したもののすべての調査結果が、その調査対象における許容値を超えていない場合は、前記ＯＰＣを１回行い、該ＯＰＣで求めた記録パワーを前記記録パワーとするよう構成されている上記（３）に記載の光ディスク装置。
【００１７】
（５）　前記調査は、前記光ディスクが装着された際に行われるよう構成されている上記（１）ないし（４）のいずれかに記載の光ディスク装置。
【００１８】
（６）　前記調査は、前記記録パワーを決定する処理の度に、該処理に先立って行われるよう構成されている上記（１）ないし（４）のいずれかに記載の光ディスク装置。
【００１９】
（７）　前記調査結果が許容値を超えている場合において、前記複数回行ったＯＰＣで求めた各記録パワーの平均値を前記記録パワーとするよう構成されている上記（１）ないし（６）のいずれかに記載の光ディスク装置。
【００２０】
（８）　前記光ディスクの偏心量の調査は、前記光学ヘッドの位置を固定し、フォーカス制御を行って、前記光学ヘッドの対物レンズの光軸方向の位置を調整しつつ、前記光ディスクを回転させたときに、前記光学ヘッドを横切る前記光ディスクのトラックの本数を計測することによって行われるよう構成されている上記（１）ないし（７）のいずれかに記載の光ディスク装置。
【００２１】
【発明の実施の形態】
以下、本発明の光ディスク装置を添付図面に示す好適な実施形態に基づいて詳細に説明する。
【００２２】
図１は、本発明の光ディスク装置の実施形態を示すブロック図である。
同図に示す光ディスク装置１は、ＣＤ−ＲＯＭ等の光ディスク２を再生したり、ＣＤ−Ｒ、ＣＤ−ＲＷ等の光ディスク２に対して記録・再生が可能なドライブ装置である。
【００２３】
例えば、ＣＤ−Ｒ、ＣＤ−ＲＷ等の記録可能な光ディスク２には、図示しない螺旋状のプリグルーブ（ＷＯＢＢＬＥ：ウォブル）が形成されている。
【００２４】
このプリグルーブは、所定の周期（１倍速で２２．０５ｋＨｚ　）で蛇行しているとともに、該プリグルーブには、ＡＴＩＰ（Ａｂｓｏｌｕｔｅ　Ｔｉｍｅ　Ｉｎ　Ｐｒｅ−Ｇｒｏｏｖｅ　）情報（光ディスク２の絶対時間情報）が記録されている。この場合、ＡＴＩＰ情報は、バイフェーズ変調され、さらに、２２．０５ｋＨｚ　のキャリア周波数でＦＭ変調されて記録されている。
【００２５】
このプリグルーブは、光ディスク２へのピット／ランド形成（ピット／ランド記録）時の案内溝として機能する。また、このプリグルーブは、再生され、光ディスク２の回転速度制御や、光ディスク２上の記録位置（絶対時間）の特定等に利用される。
【００２６】
光ディスク装置１は、光ディスク２を装着して回転させる回転駆動機構を有している。この回転駆動機構は、主に、ターンテーブル回転用のスピンドルモータ１１と、スピンドルモータ１１を駆動するドライバ２３と、スピンドルモータ１１の回転軸に固定され、光ディスク２が装着される図示しないターンテーブルとで構成されている。
【００２７】
また、光ディスク装置１は、前記装着された光ディスク２（ターンテーブル）に対し、光ディスク２の径方向（ターンテーブルの径方向）に移動し得る光学ヘッド（光ピックアップ）３と、この光学ヘッド３を前記径方向に移動させる光学ヘッド移動機構と、制御手段９と、ＲＦアンプＩＣ４０と、サーボプロセッサ（ＤＳＰ）５１と、デコーダ５２と、データバッファ用のメモリー（例えば、ＲＡＭ等）５３と、レーザ制御部５４と、エンコーダ５５とを有している。以下、前記光ディスク２の径方向を単に「径方向」と言う。
【００２８】
ここで、前記光学ヘッド移動機構は、主に、スレッドモータ７と、スレッドモータ７を駆動するドライバ２２と、スレッドモータ７の回転を減速して伝達し、その回転運動を光学ヘッド３の直線運動に変換する図示しない動力伝達機構とで構成されている。
【００２９】
光学ヘッド３は、レーザ光を発するレーザダイオード（光源）５および分割フォトダイオード（受光部）６を備えた図示しない光学ヘッド本体（光ピックアップベース）と、図示しない対物レンズ（集光レンズ）とを有している。このレーザダイオード５の駆動は、レーザ制御部５４により制御される。
【００３０】
対物レンズは、光学ヘッド本体に設けられた図示しないサスペンジョンバネ（付勢手段）で支持され、光学ヘッド本体に対し、径方向および対物レンズの光軸方向（光ディスク２（ターンテーブル）の回転軸方向）のそれぞれに変位（移動）し得るようになっている。以下、前記対物レンズの光軸方向を単に「光軸方向」と言い、前記光ディスク２の回転軸方向を単に「回転軸方向」と言う。
【００３１】
対物レンズは、光学ヘッド本体に予め設定されている対物レンズの基準位置（中点）、すなわち中立位置に配置されている。以下、前記対物レンズの基準位置を単に「基準位置」と言う。
【００３２】
対物レンズが基準位置からずれると、その対物レンズは、サスペンジョンバネの復元力により基準位置に向って付勢される。
【００３３】
また、光学ヘッド３は、光学ヘッド本体に対し、対物レンズを変位（移動）させるアクチュエータ４を有している。このアクチュエータ４は、光学ヘッド本体に対し、対物レンズを径方向に変位させるトラッキングアクチュエータ４１と、対物レンズを光軸方向（回転軸方向）に変位させるフォーカスアクチュエータ４２とで構成されている。
【００３４】
このアクチュエータ４、すなわち、トラッキングアクチュエータ４１およびフォーカスアクチュエータ４２は、それぞれ、ドライバ２１により駆動される。
【００３５】
制御手段９は、通常、マイクロコンピュータ（ＣＰＵ）で構成され、光学ヘッド３（アクチュエータ４、レーザダイオード５等）、スレッドモータ７、スピンドルモータ１１、ＲＦアンプＩＣ４０、サーボプロセッサ５１、デコーダ５２、メモリー５３、レーザ制御部５４、エンコーダ５５等、光ディスク装置１全体の制御を行う。
【００３６】
この制御手段９は、メモリー（ＲＯＭ、ＲＡＭ等）９１を内蔵している。メモリー９１には、予め、最適なβ値（最適β値）や、光ディスク２の偏心量、偏重心量、面ぶれ量等のしきい値（許容上限値）の情報等が記憶されている。なお、β値については、後で説明する。
【００３７】
この光ディスク装置１は、図示しないインターフェース制御部を介して外部装置（例えば、コンピュータ）と着脱自在に接続され、光ディスク装置１とコンピュータとの間で通信を行うことができる。
【００３８】
次に、光ディスク装置１の作用について説明する。
光ディスク装置１は、光学ヘッド３を目的トラック（目的アドレス）に移動し、この目的トラックにおいて、フォーカス制御、トラッキング制御、スレッド制御、回転数制御（回転速度制御）等を行いつつ、光ディスク２へのデータの書き込み（記録）、および、光ディスク２からのデータの読み出し（再生）を行う。
【００３９】
まず、図２に示すフローチャートを参照しながら、光ディスク２に対してデータを記録する際の制御の構成例（作用）を説明する。
【００４０】
図２のフローチャートに示すように、光ディスク装置１では、ＣＤ−ＲやＣＤ−ＲＷ等の記録可能な光ディスク２が装着されると、レーザ光の書き込み出力（記録パワー）を決定する処理に先立って、光ディスク２の偏心量の調査が行われる（ステップＳ１）。
【００４１】
偏心量の調査は、例えば、光学ヘッド３の位置、すなわち、光学ヘッド本体の位置を固定し、フォーカス制御を行って、光学ヘッド３の対物レンズの光軸方向の位置を調整しつつ、トラッキング制御は行わずに、光学ヘッド３の対物レンズの径方向の位置を固定した状態で、光ディスク２を回転させたときに、光学ヘッド３を横切る光ディスク２のトラック（プリグルーブ）の本数を計測する（求める）ことによって行われる。
【００４２】
この場合、トラックが光学ヘッド３を横切る毎に、トラッキングエラー信号が１波形（１周期）生成され、光学ヘッド３を横切るトラックの本数と、トラッキングエラー信号の波形の数とが一致しているので、トラッキングエラー信号の波形の数、すなわち、トラッキングエラー信号の山または谷の数を計数することにより、前記光学ヘッド３を横切るトラックの本数を求めることができる。
【００４３】
なお、光ディスク２の偏心量が大きくなるに従って、前記光学ヘッド３を横切るトラックの本数、すなわち、光学ヘッド３により検出されるトラックの本数は多くなる。すなわち、前記偏心量と前記トラックの本数とは、対応しており、互いに換算することができるようになっている。
【００４４】
その後、光ディスク２へのデータの書き込みが指示されると、後述するＯＰＣ（Ｏｐｔｉｍｕｍ　Ｐｏｗｅｒ　Ｃｏｎｔｒｏｌ　）を含む前記レーザ光の書き込み出力（記録パワー）を決定する処理が行われる。なお、ＯＰＣの詳細は後述する。
【００４５】
ここで、ステップＳ２において、光ディスク２の偏心量（調査結果）が、予め設定された許容上限値（許容値）、本実施形態では、制御手段９のメモリー９１に記憶されている光ディスク２の偏心量のしきい値以下でない場合（ステップＳ２で‘ＮＯ’）には、ＯＰＣを３回行い、各ＯＰＣでそれぞれレーザ光の記録パワーを求める（ステップＳ３１）。
【００４６】
次いで、前記３回行ったＯＰＣで求めた各記録パワーの平均値を算出し、その平均値をレーザ光の記録パワーとする（ステップＳ４）。
【００４７】
これにより、光ディスク２の偏心等に起因する記録波形の歪みの影響を低減することができる。すなわち、光ディスク２の状態に関わらず、確実に、レーザ光の最適な記録パワー（またはそれに近い記録パワー）を算出することができる。
【００４８】
そして、レーザ光の最適な記録パワー（またはそれに近い記録パワー）でデータを記録することができ、これにより、光ディスク２に対するデータの記録品質を向上させることができる。
【００４９】
なお、光ディスク２の偏心量が許容上限値以下でない場合（許容上限値を超えている場合）に行うＯＰＣの回数は、３回に限定されず、２回以上であれば何回行ってもよい。
【００５０】
但し、前記ＯＰＣの回数は、３回以上が好ましく、光ディスクに記録される周内の歪みを低減できる回数が好ましい。
【００５１】
また、複数回行ったＯＰＣで求めた各記録パワーの平均値をレーザ光の記録パワーとすることにも限定されず、例えば、複数回のＯＰＣのそれぞれの結果に対し、所定の演算を行ってレーザ光の記録パワーを決定するようにしてもよい。
【００５２】
また、光ディスク２の偏心量の前記許容上限値は、特に限定されず、例えば仕様等に応じて適宜設定されるが、５０〜８０μｍ程度とされるのが好ましい。
【００５３】
一方、ステップＳ２において、光ディスク２の偏心量（調査結果）が、予め設定された許容上限値（許容値）、本実施形態では、制御手段９のメモリー９１に記憶されている光ディスク２の偏心量のしきい値以下の場合（ステップＳ２で‘ＹＥＳ’）には、ＯＰＣを１回行ない、レーザ光の記録パワーを求め（ステップＳ３２）、そのＯＰＣで求めた記録パワーをレーザ光の記録パワーとする（ステップＳ４）。
【００５４】
ここで、ＰＣＡに試し書きを行うことができる回数は、ＣＤ−Ｒでは例えば１００回程度までというように規定されているが、本発明の光ディスク装置１では、前述のように、偏心量の調査を行い、光ディスク２の偏心量が許容上限値を超えている場合にだけＯＰＣを複数回行うようにしているため、レーザ光の記録パワーを最適化することができるというだけでなく、必要以上に前記ＰＣＡの領域を消費しないという利点も有する。
【００５５】
前記ステップＳ４において、レーザ光の記録パワーが決定（設定）されると、次いで、光学ヘッド３が目的トラックに移動され、この目的トラックにおいて、フォーカス制御、トラッキング制御、スレッド制御等を行いつつ、決定されたレーザ光の記録パワーで光ディスク２に対して実際のデータの記録（書き込み）が開始される。光ディスク２に実際にデータを記録する際の光ディスク装置１の作用の詳細は後述する。
【００５６】
なお、図２に示すフローチャートでは、光ディスク２の偏心量（調査結果）が許容上限値（許容値）と等しい場合には、ＯＰＣを１回行うようになっているが、光ディスク２の偏心量（調査結果）が許容上限値（許容値）と等しい場合に、ＯＰＣを複数回行うようになっていてもよい。すなわち、本発明では、光ディスク２の偏心量（調査結果）が許容上限値（許容値）以上の場合に、ＯＰＣを複数回行うように構成し、また、光ディスク２の偏心量（調査結果）が許容上限値（許容値）未満の場合に、ＯＰＣを１回行うように構成してもよい。
【００５７】
ここで、本実施形態では、光ディスク２の偏心に起因する記録波形の歪みの影響を低減する場合の一例を挙げて説明したが、本発明はこれに限定されず、光ディスク２の偏重心、例えば光ディスク２自身や光ディスク装置１の回転駆動機構による面ぶれ等に起因する歪みがあり、記録される信号（記録波形）が、光ディスク２の回転周期と同周期の歪みを持つ場合にも、前記光ディスク２の偏心の場合と同様に本発明を適用することができる。
【００５８】
この場合、本発明の光ディスク装置１では、光ディスクの偏心量、偏重心量および面ぶれ量のうちのいずれか１つだけを調査するようにしてもよいし、また、任意の２つを調査するようにしてもよいし、また、３つ（すべて）を調査するようにしてもよい。
【００５９】
前記光ディスクの偏心量、偏重心量および面ぶれ量のうちの２つ以上を調査する場合は、調査したもののうちの少なくとも１つの調査結果が、その調査対象における許容上限値（許容値）を超えている場合に、ＯＰＣを複数回行うようにするのが好ましい。
【００６０】
そして、前記調査したもののすべての調査結果が、その調査対象における許容値を超えていない場合は、ＯＰＣを１回行うようにするのが好ましい。
【００６１】
このように、本発明の光ディスク装置１では、光ディスク２に対するデータの記録波形が、光ディスク２の回転周期と同周期の歪みを持つ場合には、ＯＰＣを複数回行い、その結果に基づいてレーザ光の記録パワーを決定する。
【００６２】
これにより、レーザ光の記録パワーを最適な記録パワー（またはそれに近い記録パワー）に設定することができる。
【００６３】
そして、レーザ光の最適な記録パワー（またはそれに近い記録パワー）でデータを記録することができ、これにより、光ディスク２に対するデータの記録品質を向上させることができる。
【００６４】
なお、本実施形態では、前記調査は、光ディスク２が装着された際に行われるよう構成されているが、これに限らず、例えば、前記調査は、前記記録パワーを決定する処理の度に、その処理に先立って行われるよう構成されていてもよい。
【００６５】
また、光ディスク２の偏心量の調査は、前述した方法に限定されず、他の方法で行うようにしてもよい。
【００６６】
また、光ディスク２の偏重心量や面ぶれ量の調査の方法も特に限定されず、例えば、従来公知の各種の調査方法がいずれも適用可能である。
【００６７】
偏心量や偏重心量の調査については、例えば、特開２０００−２０９７５号公報に開示されているように、トラッキングエラー信号に基づいて、光ディスク２に対する対物レンズの径方向の振動が基準値以上であることを表すショック信号を発生し、このショック信号のパルス数を計数して、パルス数が基準時間内に基準値以上計数された場合（または基準値を超えた場合）に、偏心量や偏重心量が許容範囲（許容上限値）を超えていると判断するようにしてもよい。
【００６８】
また、面ぶれの調査については、例えば、特開２００１−６０３５８号公報に開示されているように、フォーカスサーボ状態の監視を行ってフォーカスサーボ外れを検出した回数をカウントしつつ、一定時間が経過する毎にカウント値を減算し、カウント値が所定値を超えた時点で、面ぶれ量が許容範囲（許容上限値）を超えていると判断するようにしてもよい。
【００６９】
次に、光ディスク２に実際にデータを記録する際の光ディスク装置１の作用を説明する。
【００７０】
光ディスク２に実際にデータを記録する際は、光ディスク２に形成されているプリグルーブが再生され（読み出され）、その後、プリグルーブに沿って、データが記録される。
【００７１】
光ディスク装置１に、図示しないインターフェース制御部を介して、光ディスク２に記録するデータが入力されると、そのデータは、メモリー５３を介してエンコーダ５５に入力される。
【００７２】
このエンコーダ５５では、前記データがエンコードされ、ＥＦＭ（Ｅｉｇｈｔ　ｔｏ　Ｆｏｕｒｔｅｅｎ　Ｍｏｄｕｌａｔｉｏｎ）と呼ばれる変調方式で変調（ＥＦＭ変調）されて、ＥＮＣＯＤＥ　ＥＦＭ信号とされる。
【００７３】
このＥＮＣＯＤＥ　ＥＦＭ信号は、３Ｔ〜１１Ｔの長さ（周期）のパルスで構成される信号であり、エンコーダ５５からレーザ制御部５４に入力される。
【００７４】
また、アナログ信号であるＷＲＩＴＥ　ＰＯＷＥＲ信号（電圧）が、制御手段９に内蔵される図示しないＤ／Ａ変換器から出力され、レーザ制御部５４に入力される。
【００７５】
レーザ制御部５４は、ＥＮＣＯＤＥ　ＥＦＭ信号に基づいて、制御手段９からのＷＲＩＴＥ　ＰＯＷＥＲ信号のレベルをハイレベル（Ｈ）と、ローレベル（Ｌ）とに切り替えて出力し、これにより光学ヘッド３のレーザダイオード５の駆動を制御する。
【００７６】
具体的には、レーザ制御部５４は、ＥＮＣＯＤＥ　ＥＦＭ信号のレベルがハイレベル（Ｈ）の期間、ＷＲＩＴＥ　ＰＯＷＥＲ信号のレベルをハイレベル（Ｈ）にして出力する。すなわち、レーザの出力を上げる（書き込み出力にする）。そして、ＥＮＣＯＤＥ　ＥＦＭ信号のレベルがローレベル（Ｌ）の期間、ＷＲＩＴＥ　ＰＯＷＥＲ信号のレベルをローレベル（Ｌ）にして出力する。すなわち、レーザの出力を下げる（読み出し出力に戻す）。
【００７７】
これにより、光ディスク２には、ＥＮＣＯＤＥ　ＥＦＭ信号のレベルがハイレベル（Ｈ）のとき、所定長のピットが書き込まれ、ＥＮＣＯＤＥ　ＥＦＭ信号のレベルがローレベル（Ｌ）のとき、所定長のランドが書き込まれる。
【００７８】
このようにして、光ディスク２の目的のトラックに、データが書き込まれる（記録される）。また、光ディスク２へのデータの記録は、プリグルーブに沿って、内周側から外周側に向って順次なされる。
【００７９】
エンコーダ５５では、前述したＥＮＣＯＤＥ　ＥＦＭ信号の他に、所定のＥＮＣＯＤＥ　ＥＦＭ信号（ランダムＥＦＭ信号）が生成される。このランダムＥＦＭ信号は、光ディスク２に対して実際にデータを記録する前に、前述のＯＰＣ（Ｏｐｔｉｍｕｍ　Ｐｏｗｅｒ　Ｃｏｎｔｒｏｌ　）において、テストエリアへの試し書きの際のレーザの出力調整（パワーコントロール）に用いられる。
【００８０】
以下、前述のＯＰＣについて説明する。
ＣＤ−ＲやＣＤ−ＲＷ等の記録可能な光ディスク２には、プログラムエリアの内周側に、ＡＴＩＰ特殊情報を有するリードインエリア、前述のＰＭＡ（Ｐｒｏｇｒａｍ　Ｍｅｍｏｒｙ　Ａｒｅａ　）、ＰＣＡ（Ｐｏｗｅｒ　Ｃａｌｉｂｒａｔｉｏｎ　Ａｒｅａ）の領域が、外周側から内周側に向って、この順序で順次設定されている。ＰＭＡは、トラックの開始、終了時間等が書き込まれるエリアである。
【００８１】
また、ＰＣＡは、さらに試し書きを行うテストエリア（Ｔｅｓｔ　Ａｒｅａ　）と、そのカウント数を記録するカウントエリア（Ｃｏｕｎｔ　Ａｒｅａ）とに別れている。
【００８２】
ＯＰＣでは、テストエリアへ試し書きがなされる。テストエリアへの試し書きの際には、前記ランダムＥＦＭ信号が、エンコーダ５５からレーザ制御部５４に入力される。また、制御手段９では、１５段階のレベルのＷＲＩＴＥ　ＰＯＷＥＲ信号が生成され、そのＷＲＩＴＥ　ＰＯＷＥＲ信号が、制御手段９に内蔵される図示しないＤ／Ａ変換器から出力され、レーザ制御部５４に入力される。
【００８３】
そして、レーザ制御部５４は、前記ランダムＥＦＭ信号に基づいて、制御手段９からのＷＲＩＴＥ　ＰＯＷＥＲ信号のレベルをハイレベル（Ｈ）と、ローレベル（Ｌ）とに切り替えて出力し、これにより光学ヘッド３のレーザダイオード５の駆動を制御する。これを１５段階のレベルのＷＲＩＴＥ　ＰＯＷＥＲ信号のそれぞれで行う。
【００８４】
このようにして、１５段階の出力のレーザ光でテストエリアへの試し書きが行われる。この試し書きは、複数回（例えば、１００回）行うことができる。試し書きを１回行う毎に、カウントエリアにそのことを示すフラグを立てる。
【００８５】
ここで、光ディスク２から読み出された後述するＨＦ（ＲＦ）信号のピーク値であって、ＨＦ信号の基準レベルからのその大きさと、ボトム値であって、前記基準レベルからのその大きさとの差に対応した値をβ（β値）とする。
【００８６】
本実施形態では、光ディスク２から読み出されたＨＦ信号の基準レベルを０Ｖ（この場合、ＨＦ信号は、０Ｖを中心に上下に振れる）、ピーク値（波形の山部における電圧レベル）をＡ１、ボトム値（波形の谷部における電圧レベル）をＡ２としたとき、β（β値）を下記（１）式で表わす。
【００８７】
β＝（Ａ１＋Ａ２）／（Ａ１−Ａ２）・・・（１）
【００８８】
ＯＰＣでは、前記試し書きされたデータがテストエリアから読み出され、そのＨＦ信号から１５段階のＷＲＩＴＥ　ＰＯＷＥＲ信号に対応した１５種のβ（β値）を求め、その１５種のβ値のうち、予め設定された所定値、本実施形態の場合には、制御手段９のメモリー９１に予め記憶されているＣＤ−Ｒの最適なβ値に最も近いもののレーザ出力を適切なレーザ出力として決める（決定する）。
【００８９】
次に、光ディスク２に記録されているデータを再生する際の作用を説明する。光ディスク２に記録されているデータを再生する際は、光学ヘッド３がデータを再生しようとする目的のトラックへ移動される。
【００９０】
そして、読み出し出力のレーザ光が、光学ヘッド３のレーザダイオード５から光ディスク２の目的のトラックに照射される。このレーザ光は光ディスク２で反射し、その反射光が、光学ヘッド３の分割フォトダイオード６で受光される。
【００９１】
この分割フォトダイオード６からは、受光量に応じた電流が出力され、この電流は、図示しないＩ−Ｖアンプ（電流−電圧変換部）で電圧に変換され、光学ヘッド３から出力される。
【００９２】
光学ヘッド３から出力された電圧（検出信号）は、ＲＦアンプＩＣ４０に入力され、このＲＦアンプＩＣ４０で加算や増幅等を行うことにより、ＨＦ（ＲＦ）信号が生成される。このＨＦ信号は、光ディスク２に書き込まれているピットとランドに対応するアナログ信号である。
【００９３】
ＨＦ信号は、サーボプロセッサ５１に入力され、このサーボプロセッサ５１で２値化され、ＥＦＭ（Ｅｉｇｈｔ　ｔｏ　Ｆｏｕｒｔｅｅｎ　Ｍｏｄｕｌａｔｉｏｎ）復調される。これにより、ＥＦＭ信号が得られる。このＥＦＭ信号は、３Ｔ〜１１Ｔの長さ（周期）のパルスで構成される信号である。
【００９４】
ＥＦＭ信号は、サーボプロセッサ５１で所定形式のデータ（ＤＡＴＡ信号）にデコード（変換）されて、デコーダ５２に入力される。
【００９５】
そして、このデータは、デコーダ５２で、通信（送信）用の所定形式のデータにデコードされ、図示しないインターフェース制御部を介して、外部装置（例えば、コンピュータ）に送信される。
【００９６】
また、以上のような記録、再生動作におけるトラッキング制御、スレッド制御、フォーカス制御は、次にようにして行われる。
【００９７】
前述したように、光学ヘッド３の分割フォトダイオード６からの電流−電圧変換後の信号（電圧）は、ＲＦアンプＩＣ４０に入力される。
【００９８】
ＲＦアンプＩＣ４０は、この分割フォトダイオード６からの電流−電圧変換後の信号に基づいて、トラッキングエラー信号（ＴＥ）（電圧）を生成する。
【００９９】
トラッキングエラー信号は、トラックの中心からの径方向における対物レンズのずれの大きさおよびその方向（トラックの中心からの対物レンズの径方向のずれ量）を示す信号である。
【０１００】
トラッキングエラー信号は、サーボプロセッサ５１に入力される。サーボプロセッサ５１では、このトラッキングエラー信号に対し、位相の反転や増幅等の所定の信号処理が行われ、これによりトラッキングサーボ信号（電圧）が生成される。このトラッキングサーボ信号に基づいて、ドライバ２１を介し、トラッキングアクチュエータ４１に所定の駆動電圧が印加され、このトラッキングアクチュエータ４１の駆動により、対物レンズは、トラックの中心に向って移動する。すなわち、トラッキングサーボがかかる。
【０１０１】
このトラッキングアクチュエータ４１の駆動のみでは、対物レンズをトラックに追従させることに限界があり、これをカバーすべく、ドライバ２２を介し、スレッドモータ７を駆動して光学ヘッド本体を前記対物レンズが移動した方向と同方向に移動し、対物レンズを基準位置に戻すように制御する（スレッド制御を行う）。
【０１０２】
また、ＲＦアンプＩＣ４０は、前記分割フォトダイオード６からの電流電圧変換後の信号に基づいて、フォーカスエラー信号（ＦＥ）（電圧）を生成する。
【０１０３】
フォーカスエラー信号は、合焦位置からの光軸方向（回転軸方向）における対物レンズのずれの大きさおよびその方向（合焦位置からの対物レンズの光軸方向（回転軸方向）のずれ量）を示す信号である。
【０１０４】
フォーカスエラー信号は、サーボプロセッサ５１に入力される。サーボプロセッサ５１では、このフォーカスエラー信号に対し、位相の反転や増幅等の所定の信号処理が行われ、これによりフォーカスサーボ信号（電圧）が生成される。このフォーカスサーボ信号に基づいて、ドライバ２１を介し、フォーカスアクチュエータ４２に所定の駆動電圧が印加され、このフォーカスアクチュエータ４２の駆動により、対物レンズは、合焦位置に向って移動する。すなわち、フォーカスサーボがかかる。
【０１０５】
また、光学ヘッド３（対物レンズ）を光ディスク２上の目的位置、すなわち、目的トラック（目的アドレス）へ移動させる際、トラックジャンプ制御が行われる。このトラックジャンプ制御では、スレッドモータ７の駆動と、アクチュエータ４の駆動とをそれぞれ制御し、粗シーク（ラフサーチ）、精密シーク（ファインサーチ）、またはこれらの組み合わせにより、光学ヘッド３（対物レンズ）を目的トラック（目的アドレス）へ移動させる。
【０１０６】
以上、本発明の光ディスク装置を、図示の実施形態に基づいて説明したが、本発明はこれに限定されるものではなく、各部の構成は、同様の機能を有する任意の構成のものに置換することができる。
【０１０７】
例えば、本発明の光ディスク装置は、記録・再生が可能な装置に限らず、記録専用の装置にも適用することができる。
【０１０８】
また、本発明の光ディスク装置は、複数種の光ディスクを記録および／または再生する各種光ディスク装置に適用することもできる。
【０１０９】
【発明の効果】
以上述べたように、本発明によれば、光ディスクの偏心量、偏重心量および面ぶれ等の光ディスクの状態に関わらず、確実に、レーザ光の最適な記録パワー（またはそれに近い記録パワー）を求めることができる。
【０１１０】
これにより、レーザ光の最適な記録パワー（またはそれに近い記録パワー）でデータを記録することができるので、光ディスクに対するデータの記録品質を向上させることができる。
【図面の簡単な説明】
【図１】本発明の光ディスク装置の実施形態を示すブロック図である。
【図２】図１に示す光ディスク装置の動作の一例を示すフローチャートである。
【符号の説明】
１　　　　　　　光ディスク装置
２　　　　　　　光ディスク
３　　　　　　　光学ヘッド
４　　　　　　　アクチュエータ
４１　　　　　　トラッキングアクチュエータ
４２　　　　　　フォーカスアクチュエータ
５　　　　　　　レーザダイオード
６　　　　　　　分割フォトダイオード
７　　　　　　　スレッドモータ
９　　　　　　　制御手段
９１　　　　　　メモリー
１１　　　　　　スピンドルモータ
２１〜２３　　　ドライバ
４０　　　　　　ＲＦアンプＩＣ
５１　　　　　　サーボプロセッサ
５２　　　　　　デコーダ
５３　　　　　　メモリー
５４　　　　　　レーザ制御部
５５　　　　　　エンコーダ
Ｓ１〜Ｓ４　　　ステップ
【図１】
2004046926.tif 000003
【図２】
2004046926.tif 000004